(57)【要約】【課題】例えばプラスチック製品、紙類、金属製品等の如く面ファスナーの雄部材に係合させることができない被保持物をも容易に保持することができるようにした保持具セットを提供する。【解決手段】第一面ファスナー３と第二面ファスナー５とを包装してなる保持具セット１。第一面ファスナー３は、一面に粘着剤層を有する基材の他面に雄部材１５を備えてなる。第二面ファスナー５は、一面に粘着剤層を有する基材の他面に雌部材２３を備えてなる。前記第一面ファスナーの粘着剤層又は前記第二面ファスナーの粘着剤層に予め被保持物を取り付けた状態で該第一面ファスナーと第二面ファスナーとを包装してもよい。【選択図】図１
0003210485.tif 000002
【実用新案登録請求の範囲】
【請求項１】
一面に粘着剤層を有する基材の他面に雄部材を備えてなる第一面ファスナーと、一面に粘着剤層を有する基材の他面に雌部材を備えてなる第二面ファスナーとを包装してなる保持具セット。
【請求項２】
前記第一面ファスナーの粘着剤層又は前記第二面ファスナーの粘着剤層に予め被保持物を取り付けた状態で該第一面ファスナーと第二面ファスナーとを包装してなることを特徴とする請求項１に記載の保持具セット。
【考案の詳細な説明】
【技術分野】
【０００１】
本考案は、保持具セットに関するものであり、更に詳しくは、雄部材を有する面ファスナーと雌部材を有する面ファスナーとを備えた保持具セットに係るものである。
【背景技術】
【０００２】
本出願人は、実用新案登録第３１６０６９７号公報に示す保持具（以下この保持具を「従来の保持具」という。）を提供している。
【０００３】
従来の保持具は、面ファスナーにおける基体の表面に雄部材を備え、該基体の裏面に粘着剤層を備えてなるものである。
【０００４】
従来の保持具は、これを面ファスナーにおける基体の裏面に備えさせた粘着剤層により例えば流し台、洗面所、浴室等の垂直面、あるいは書斎、廊下、玄関等の壁面等の取付面に取り付け、該基体の表面に備えさせた雄部材に例えば布巾、タオル等の被保持物を係合させることにより該被保持物を保持するようにしている。なお、本考案において、「被保持物」とは、保持される物をいう。
【先行技術文献】
【特許文献】
【０００５】
【特許文献１】実用新案登録第３１６０６９７号公報
【考案の概要】
【考案が解決しようとする課題】
【０００６】
しかるに、従来の保持具においては、面ファスナーの雄部材に被保持物を保持させるようにしているため、例えばプラスチック製品、紙類、金属製品等の如く面ファスナーの雄部材に係合させ得ない被保持物を保持することができないという問題がある。
【０００７】
本考案は、従来の保持具におけるこのような問題を解消し、例えばプラスチック製品、紙類、金属製品等の如く面ファスナーの雄部材に係合させることができない被保持物をも容易に保持することができるようにした保持具セットを提供しようとしてなされたものである。
【課題を解決するための手段】
【０００８】
上記課題を解決するために、本考案は、下記の保持具セットを提供するものである。
【０００９】
（１）一面に粘着剤層を有する基材の他面に雄部材を備えてなる第一面ファスナーと、一面に粘着剤層を有する基材の他面に雌部材を備えてなる第二面ファスナーとを包装してなる保持具セット（請求項１）。
【００１０】
（２）前記第一面ファスナーの粘着剤層又は前記第二面ファスナーの粘着剤層に予め被保持物を取り付けた状態で該第一面ファスナーと第二面ファスナーとを包装する（請求項２）。
【考案の効果】
【００１１】
［請求項１の考案］
請求項１の考案によれば、第一面ファスナーと第二面ファスナーとを包装から取り出し、第一面ファスナーと第二面ファスナーとのいずれか一方の面ファスナーをその粘着剤層により例えば流し台、洗面所、浴室等の垂直面、あるいは書斎、廊下、玄関等の壁面等の取付面に取り付け、他方の面ファスナーをその粘着剤層により被保持物に取り付け、該被保持物を当該他方の面ファスナーの雌部材又は雄部材により取付面上の当該一方の面ファスナーの雄部材又は雌部材に係合させることにより、該被保持物を容易に、かつ、取り外し自在に該取付面に取り付けることができる。また、前記他方の面ファスナーをその粘着剤層により被保持物に取り付けるようにしているため、当該他方の面ファスナーは例えばプラスチック製品、紙類、金属製品等の如く面ファスナーの雄部材又は雌部材に係合させることができない被保持物に対しても容易に取り付けることができる。
【００１２】
［請求項２の考案］
請求項２の考案によれば、第一面ファスナーの粘着剤層又は第二面ファスナーの粘着剤層に予め被保持物を取り付けた状態で該第一面ファスナーと第二面ファスナーとを包装しているため、使用時には第一面ファスナーと第二面ファスナーとを包装から取り出し、被保持物が取り付けられていない一方の面ファスナーをその粘着剤層により例えば流し台、洗面所、浴室等の垂直面、あるいは書斎、廊下、玄関等の壁面等の取付面に取り付け、予め被保持物が取り付けられている他方の面ファスナーの雄部材又は雌部材を当該一方の面ファスナーの雌部材又は雄部材に係合させることにより、該被保持物を極めて容易に、かつ、取り外し自在に該取付面に取り付けることができる。
【図面の簡単な説明】
【００１３】
【図１】図１は本考案による保持具セットの一例を示す正面図である。
【図２】図２は本考案による保持具セットの別の一例を示す正面図である。
【図３】図３は第一面ファスナーの一例を示す断面図である。
【図４】図４は第二面ファスナーの一例を示す断面図である。
【図５】図５は本考案による保持具セットの使用状態の一例を示す断面図である。
【図６】図６は本考案による保持具セットの前記別の一例における第二面ファスナーを示す断面図である。
【考案を実施するための形態】
【００１４】
本考案による保持具セット１は、第一面ファスナー３と第二面ファスナー５とを一例として台紙７に保持させた状態で包装してなるものである。符号９に示すものは保持具セット１全体を包装する透明な包装フィルムである。
【００１５】
第一面ファスナー３は、図３に示すように、一面に粘着剤層１１を有する基材１３の他面に雄部材１５を備えてなる。符号１７に示すものは剥離ライナーである。第二面ファスナー５は、図４に示すように、一面に粘着剤層１９を有する基材２１の他面に雌部材２３を備えてなる。符号２５に示すものは剥離ライナーである。
【００１６】
図２に示す事例においては、台紙７に複数の切り目２７を形成し、第一面ファスナー３を該切り目２７に係止することにより台紙７に保持させ、第二面ファスナー５の粘着剤層１９には予め被保持物２９を取り付け、該第二面ファスナー５の雌部材２３を前記第一面ファスナー３の雄部材１５に係合させた状態で包装している。図２に示す被保持物２９はキーホルダーである。なお、この場合においても、第一面ファスナー３と被保持物２９を取り付けた第二面ファスナー５とを台紙を用いることなく各別に包装しても差し支えない。
【００１７】
図６に示す第二面ファスナー５は、その粘着剤層１９に予め被保持物２９を取り付けている。
【００１８】
図５に示す事例においては、第一面ファスナー３をその粘着剤層１１により例えば流し台、洗面所、浴室等の垂直面、あるいは書斎、廊下、玄関等の壁面等の取付面３１に取り付け、第二面ファスナー５をその粘着剤層１９により例えばプラスチック製品、紙類、金属製品等の被保持物２９に取り付け、第二面ファスナー５の雌部材２３を取付面３１上の第一面ファスナー３の雄部材１５に係合させることにより、該被保持物２９を取付面３１に取り付けている。
【符号の説明】
【００１９】
１  保持具セット
３  第一面ファスナー
５  第二面ファスナー
７  台紙
９  包装フィルム
１１  粘着剤層
１３  基材
１５  雄部材
１７  剥離ライナー
１９  粘着剤層
２１  基材
２３  雌部材
２５  剥離ライナー
２７  切り目
２９  被保持物
３１  取付面
【図１】
0003210485.tif 000003
【図２】
0003210485.tif 000004
【図３】
0003210485.tif 000005
【図４】
0003210485.tif 000006
【図５】
0003210485.tif 000007
【図６】
0003210485.tif 000008